(57)【要約】      （修正有）【課題】遊技盤あるいはその周辺部の裏面の設計上の自由度を高めることが可能な遊技機の電飾装置を提供する。【解決手段】蛍光体を混合あるいは塗付したレンズ部１と、前記レンズ部１の裏面に突設されたボス２と、前記レンズ部１を発光させるための紫外線ＬＥＤ３とを備え、前記紫外線ＬＥＤ３から発せられた紫外光が、前記ボス２内を通過して前記レンズ部１に到達し、前記蛍光体に吸収され、該蛍光体から可視光が発せられるようにする。【選択図】図１
0003129470.tif 000002
【実用新案登録請求の範囲】
【請求項１】
蛍光体を担持した電飾部材と、
前記電飾部材に突設された突起部と、
前記電飾部材を発光させるための光源とを備えた遊技機の電飾装置であって、
前記光源からの光が、前記突起部内を通過して前記電飾部材に到達することを特徴とする遊技機の電飾装置。
【請求項２】
請求項１に記載の遊技機の電飾装置において、
前記突起部の、前記電飾部材正面に平行の断面が、前記電飾部材の正面外形形状と相似する形状であることを特徴とする遊技機の電飾装置。
【請求項３】
請求項１または２に記載の遊技機の電飾装置において、
前記光源は、紫外線ＬＥＤであることを特徴とする遊技機の電飾装置。
【請求項４】
請求項１ないし３のいずれかに記載の遊技機の電飾装置において、
前記突起部は、その端部に、前記光源を埋設するための収容溝を備えることを特徴とする遊技機の電飾装置。
【請求項５】
請求項１ないし４のいずれかに記載の遊技機の電飾装置において、
前記蛍光体が前記電飾部材に練り込まれていることを特徴とする遊技機の電飾装置。
【請求項６】
請求項１ないし４のいずれかに記載の遊技機の電飾装置において、
前記蛍光体が前記電飾部材に塗付されていることを特徴とする遊技機の電飾装置。
【考案の詳細な説明】
【技術分野】
【０００１】
本考案は、パチンコ機やスロットマシン等の遊技機の遊技盤面を光源により装飾するようにした遊技機の電飾装置に関するものである。
【背景技術】
【０００２】
従来、パチンコ機、スロットマシン等の遊技機においては、遊技盤面またはその周辺部に多数のランプまたは発光ダイオード等の光源を点灯または点滅させて、遊技者に興趣を持たせるようにするための電飾装置が設けられている。
【０００３】
このような電飾装置の例として、例えば特許文献１には、紫外線ＬＥＤと、前記紫外線ＬＥＤからの光が照射される蛍光体を担持したレンズ部とを備えた遊技機部品が提案されている（以下、従来例１という）。
【０００４】
また、例えば特許文献２には、導光棒の端面に配置したＬＥＤから発せられて導光棒内を透過する光をその周面で屈折発光させる第１発光装置と、導光棒の背面側に離れて配置され、導光棒に向けて発光するＬＥＤを備えた第２発光装置とから成る電飾装置が提案されている（以下、従来例２という）。
【特許文献１】特開２００２−３６０７９９号公報
【特許文献２】特開２００３−１８０９５０号公報
【考案の開示】
【考案が解決しようとする課題】
【０００５】
しかしながら、前記従来例１では、レンズ部に対応する背面全体に空間を設け、該空間を構成する壁面に紫外線ＬＥＤから発せられる光を散乱反射させることで、レンズ部に光が均一に分散するようにしている。
【０００６】
また、前記従来例２では、第２発光装置が第１発光装置の背面側に大きく離れて配置されており、また第１発光装置と第２発光装置との間には拡散レンズを設け、導光棒全体が均一に発光するようにしている。
【０００７】
このように従来例においては、光源からの光が均一に分散するように、また光源からの光を妨げないように、レンズ部と光源との間に広い空間が必要であった。そのため、電飾装置が取り付けられる遊技盤あるいはその周辺部の裏面の設計上の自由度が大きく制限されるといった問題があった。
【０００８】
本考案は、かかる状況下でなされたものであり、遊技盤あるいはその周辺部の裏面の設計上の自由度を高めることが可能な遊技機の電飾装置を提供することを目的とする。
【課題を解決するための手段】
【０００９】
本考案は上述した課題を解決するためになされたものであり、以下の構成を備える。
【００１０】
（１）蛍光体を担持した電飾部材と、前記電飾部材に突設された突起部と、前記電飾部材を発光させるための光源とを備えた遊技機の電飾装置であって、前記光源からの光が、前記突起部内を通過して前記電飾部材に到達することを特徴とする遊技機の電飾装置。
【００１１】
（２）前記（１）に記載の遊技機の電飾装置において、前記突起部の、前記電飾部材正面に平行の断面が、前記電飾部材の正面外形形状と相似する形状であることを特徴とする遊技機の電飾装置。
【００１２】
（３）前記（１）または（２）に記載の遊技機の電飾装置において、前記光源は、紫外線ＬＥＤであることを特徴とする遊技機の電飾装置。
【００１３】
（４）前記（１）ないし（３）のいずれかに記載の遊技機の電飾装置において、前記突起部は、その端部に、前記光源を埋設するための収容溝を備えることを特徴とする遊技機の電飾装置。
【００１４】
（５）前記（１）ないし（４）のいずれかに記載の遊技機の電飾装置において、前記蛍光体が前記電飾部材に練り込まれていることを特徴とする遊技機の電飾装置。
【００１５】
（６）前記（１）ないし（４）のいずれかに記載の遊技機の電飾装置において、前記蛍光体が前記電飾部材に塗付されていることを特徴とする遊技機の電飾装置。
【考案の効果】
【００１６】
本考案によれば、遊技盤あるいはその周辺部の裏面の設計上の自由度を高めることが可能な遊技機の電飾装置を提供することができる。
【考案を実施するための最良の形態】
【００１７】
本考案は、パチンコ機、アレパチ（登録商標）機、スロットマシン等の遊技機における、例えばランプ風車、サイドランプ、コーナーランプ、大当たりランプ等の電飾装置に適用されるものである。
【００１８】
以下に、本考案を実施するための最良の形態を、実施例により詳しく説明する。
【実施例１】
【００１９】
図１は本実施例に係る遊技機の電飾装置の斜視図、図２は本実施例に係る遊技機の電飾装置の側面図、図３は本実施例に係る遊技機の電飾装置の平面図である。
【００２０】
図に示すように、本実施例に係る遊技機の電飾装置は、電飾部材としてのレンズ部１、突起部としてのボス２、及び光源としての紫外線ＬＥＤ３を有する。
【００２１】
レンズ部１は、例えば遊技機の遊技盤面に配設されて、光演出を行うための部材であり、透明プラスチックあるいは透明アクリル樹脂等の通常用いられる任意の樹脂材料に、蛍光体を混合（練り込み）し、所望の形状に成型してなる。または、樹脂材料を成型した後に、二次加工で蛍光体を塗付してなる。レンズ部１の外形形状は、本実施例においては長方形平板形状であるが、特にこれに限定されない。
【００２２】
蛍光体の塗付方法としては、塗装、蛍光体を担持するシールの貼り付け等の従来周知の方法を採り得る。また、蛍光体としては、従来周知の蛍光体、蓄光性蛍光体等を用いることができる。
【００２３】
レンズ部１は、複数の色を発光させるようにすることも可能である。複数色を発光させる場合には、単色発光のレンズを複数結合させてレンズ部１を構成することで実現可能である。あるいは、単一のレンズ部１に複数色の蛍光体を区分けして塗付することによっても実現可能である。
【００２４】
本実施例に係る遊技機の電飾装置において、紫外線ＬＥＤ３はボス２を介してレンズ部１の背面に対向して配設される。そのため、レンズ部１の表面には、紫外線ＬＥＤ３を視認し難くするためのローレット加工または彫刻等を施す必要がない。したがって、レンズ部１の表面形状は、無加工の平面あるいは曲面とすることができる。もちろん、彫刻、ローレット等を施してもよい。なお、本実施例においては、レンズ部１の縁部にカッティングが施されている。
【００２５】
突起部としてのボス２は、レンズ部１の背面、すなわち遊技盤への取付面側に突設される。ボス２は、レンズ部１と一体成型される構成であってもよい。ボス２の形状は、本実施例においては略円柱形状としたが、特にこれに限定されず、例えば角柱形状等であってもよい。なお、本実施例においては、ボス２の長軸に沿ってカッティングが施されている。
【００２６】
ボス２は、遊技盤面の所望の位置に設けられた貫通孔に挿通され、遊技盤面に固定される。
【００２７】
ボス２のレンズ部１と反対側の端面、あるいは端部の側面には、紫外線ＬＥＤ３を埋設するための不図示の収容溝を設ける構成であってもよい。これにより遊技板裏面における紫外線ＬＥＤ３の設置容積を削減することができる。また紫外線ＬＥＤ３からの紫外光を効率よくレンズ部１に伝達可能となる。
【００２８】
本実施例において、ボス２はレンズ部１の背面に対して垂直に突設される構成としたが、ボス２のレンズ部１への当接角度は特にこれに限定されず、遊技盤裏面の設計条件に合わせて任意の角度を取り得る。また、ボス２の突設位置についても、本実施例ではレンズ部１の中央部に突設したが、特にこれに限定されず、遊技盤裏面の設計条件に合わせて任意の位置に突設可能である。
【００２９】
また、ボス２のレンズ部１への突設数も特に限定されず、レンズ部１全体を効率よく発光させるのに必要な数のボス２を設けることが可能である。さらに、紫外線ＬＥＤ３から発せられた紫外光を効率よくレンズ部１に到達させるために、ボス２の表面に反射材を塗付、被覆したり、メッキ処理を施すようにしてもよい。
【００３０】
紫外線ＬＥＤ３は、レンズ部１を発光させるための光源であり、ボス２のレンズ部１との反対端の端面に光点を合致させるようにして配設される。あるいは、ボス２の側面に光点を合致させるようにして配設してもよい（点線で表示）。本実施例においては、光源として紫外線ＬＥＤを用いたが、紫外線ランプであってもよい。また、紫外線ＬＥＤ３の個数は特に限定されない。さらに、紫外線ＬＥＤと通常の可視光ＬＥＤ、ランプとを組み合わせて用いてもよい。
【００３１】
レンズ部１が複数色の場合であっても、紫外線ＬＥＤ３から発せられた紫外光はレンズ部１全体に行き渡るため、紫外線ＬＥＤ３は１個でよい。
【００３２】
続いて、図４を用いて本実施例に係る遊技機の電飾装置の発光機序について説明する。図４は、発光機序を説明するための模式図である。
【００３３】
本実施例においては、レンズ部１が蛍光体５を担持し、また光源として紫外線ＬＥＤ３を用いているため、紫外線ＬＥＤ３が点灯するとレンズ部１に担持された蛍光体５が蛍光を発し、これによりレンズ部１は蛍光色に発光する。
【００３４】
詳述すると、紫外線ＬＥＤ３から発せられた紫外光４（４ａ、４ｂ）は、ボス２内を通過してレンズ部１に到達する。紫外線ＬＥＤ３から発せられた紫外光４は、ボス２の長軸に並行してボス２内を通過してレンズ部１に到達する（紫外光４ａ）だけでなく、ボス２の壁面に反射されながらレンズ部１に到達する（紫外光４ｂ）ものもある。したがって、紫外線ＬＥＤ３から発せられた紫外光４は、レンズ部１におけるボス２の当接位置を中心として、レンズ部１の広範囲に到達する。
【００３５】
そして、レンズ部１に到達した紫外光４は、レンズ部１に担持された蛍光体５に吸収され、また一部はレンズ部１に反射される。蛍光体５がレンズ部１に塗付されている場合でも同様に、紫外光４の一部は蛍光体５に吸収され、一部はレンズ部１に反射される。蛍光体５は紫外光４を吸収すると可視光６を発し、蛍光体５から発せられた可視光６は、レンズ部１から外部に照射されるとともに、その一部はレンズ部１内で乱反射する。これにより、レンズ部１全体が均一に発光する。
【実施例２】
【００３６】
本実施例に係る遊技機の電飾装置について説明する。本実施例においては、突起部の形状に特徴を有する点が実施例１と異なる。それ以外の構成は実施例１と同様であるため、同様の構成については同一の符号を付し、説明は省略する。
【００３７】
図５は本実施例に係る遊技機の電飾装置の斜視図、図６は本実施例に係る遊技機の電飾装置の側面図、図７は本実施例に係る遊技機の電飾装置の平面図である。
【００３８】
図に示すように、本実施例に係る遊技機の電飾装置は、レンズ部１、ボス２２、及び紫外線ＬＥＤ２３ａ、２３ｂを有する。本実施例においても実施例１と同様に、レンズ部１の縁部にはカッティングが施されている。
【００３９】
ボス２２は、レンズ部１に対する平行断面、平行端面２２ａがレンズ部１の正面外形形状と相似する長方形形状であり、その長辺がレンズ部１の長辺に平行した配置でレンズ部１に突設される。
【００４０】
ボス２２には、紫外線ＬＥＤ２３ａ、２３ｂが配設され、両紫外線ＬＥＤから照射された紫外光がボス２２を通過して、レンズ部１に到達する。ボス２２がレンズ部１の形状に合わせた断面長方形形状であるため、ボス２２を通過した紫外光は、レンズ部１の略全域の蛍光体５に直接到達する。したがって、レンズ部１全体をより均一に発光させることが可能となる。
【００４１】
以上、実施例１及び２に係る遊技機の電飾装置によれば、遊技盤あるいはその周辺部の裏面の設計上の自由度を高めることが可能となる。特に、実施例１に係る遊技機の電飾装置では、遊技盤あるいはその周辺部の裏面の設計自由度をより高めることができる。また、実施例２に係る遊技機の電飾装置では、遊技盤あるいはその周辺部の裏面の設計自由度を高めつつ、レンズ部をより均一に発光させることができる。
【００４２】
特に、遊技機の光演出の構造は年々華やかさを増しているが、法律（風俗営業等）の規制により遊技機の大きさが一定サイズを超えないように決められている現状においては、限られたサイズ内で複雑化する遊技機の装飾や制御部品を組み込まなくてはならない。このような状況において、本願考案は遊技盤あるいはその周辺部の裏面の設計上の自由度を高めることができるという、顕著に優れた効果を発揮するものである。
【００４３】
また、レンズ部の表面形状を無加工の平面あるいは曲面とすることができるため、レンズ部の表現自由度が高まり、またレンズ部の設計、及び光演出を行うための金型加工の簡素化が可能となる。
【００４４】
さらに、レンズ部が複数色の場合であっても、紫外線ＬＥＤは１個でよいため、基板構成の簡素化、及び部品費、生産費の削減を実現しつつ、光演出の効果を高めることができる。
【図面の簡単な説明】
【００４５】
【図１】実施例１に係る遊技機の電飾装置の斜視図
【図２】実施例１に係る遊技機の電飾装置の側面図
【図３】実施例１に係る遊技機の電飾装置の平面図
【図４】発光機序を説明するための模式図
【図５】実施例２に係る遊技機の電飾装置の斜視図
【図６】実施例２に係る遊技機の電飾装置の側面図
【図７】実施例２に係る遊技機の電飾装置の平面図
【符号の説明】
【００４６】
１  レンズ部（電飾部材に対応）
２  ボス（突起部に対応）
３  紫外線ＬＥＤ（光源に対応）
４、４ａ、４ｂ  紫外光
５  蛍光体
６  可視光
【図１】
0003129470.tif 000003
【図２】
0003129470.tif 000004
【図３】
0003129470.tif 000005
【図４】
0003129470.tif 000006
【図５】
0003129470.tif 000007
【図６】
0003129470.tif 000008
【図７】
0003129470.tif 000009